(57)【特許請求の範囲】
【請求項１】
樋形状のプロテクタ本体の長さ方向の端部側内面にコルゲートチューブの谷部に嵌合係止する円弧状の本体側係止リブを突設する一方、前記プロテクタ本体の上面開口を閉鎖するように取り付ける第１蓋と第２蓋とを隣接して設け、
前記第１蓋の内面に蓋側係止リブを突設し、第１蓋閉鎖時に前記本体側係止リブと蓋側係止リブとを同一周上に位置させ、かつ、
前記第２蓋の内面から前記第１蓋側へ突出させた潰れ防止片を設け、該潰れ防止片を前記コルゲートチューブの内面に突き当てるように挿入し、該コルゲートチューブの谷部の外周に前記本体側係止リブおよび前記蓋側係止リブを嵌合係止させる構成としていることを特徴とするワイヤハーネス用のプロテクタ。
【請求項２】
前記第２蓋に設ける前記潰れ防止片は、第２蓋側の側面から突出すると共に、前記コルゲートチューブの谷部の内周面に当接する円弧状片であり、かつ、該円弧状片の上面から突当リブを突設し、該突当リブをコルゲートチューブの山部に嵌合させる構成としている請求項１に記載のワイヤハーネス用のプロテクタ。
【請求項３】
前記第１蓋はプロテクタ本体の長さ方向の端部に設け、該プロテクタ本体の一方側壁に薄肉ヒンジ部を介して設ける一方、
前記第２蓋は該第１蓋に隣接したプロテクタ本体の内部側に設け、かつ、該プロテクタ本体の他方側壁に薄肉ヒンジ部を介して設けている請求項１または請求項２に記載のワイヤハーネス用のプロテクタ。
【請求項４】
前記第１蓋および第２蓋の先端にそれぞれロック部を設け、前記プロテクタ本体に設けた被ロック部とロック結合させるものとしている請求項１乃至請求項３のいずれか１項に記載のワイヤハーネス用のプロテクタ。
【発明の詳細な説明】
【技術分野】
【０００１】
本発明はワイヤハーネス用のプロテクタに関し、詳しくは、自動車に配索するワイヤハーネスに外装するコルゲートチューブとプロテクタとを接続する箇所においてコルゲートチューブの潰れを防止して接続信頼性を高めるものである。
【背景技術】
【０００２】
従来、自動車に配索されるワイヤハーネスは、環状の山部と谷部とを軸線方向に交互に設けたコルゲートチューブで外装すると共に、樋形状とした本体と蓋とからなるプロテクタで外装している。コルゲートチューブはワイヤハーネスを曲げ配索する領域や伸縮作動させる領域に用いられ、プロテクタはワイヤハーネスの経路規制をする必要がある領域や外部干渉材からの保護が必要な領域に用いられる。
【０００３】
図６（Ａ）に示すようにコルゲートチューブ１００とプロテクタ１１０とを連続させてワイヤハーネス１２０に外装する場合、コルゲートチューブ１００の端部をプロテクタ１１０の先端開口部に挿入し、プロテクタ１１０の内面に突設した係止リブ１１０ａをコルゲートチューブ１００の谷部１００ａに嵌合係止して連結する場合が多い。
【０００４】
コルゲートチューブ１００のサイズはワイヤハーネス１２０の外径に対応させて設定されているが、複数の仕様がある場合等では、電線本数が多くなる仕様のワイヤハーネスの外径に合わせてコルゲートチューブのサイズが設定されている。よって、図６（Ｂ）に示すように、電線ｗの本数が少ないワイヤハーネスではコルゲートチューブ１００の内部で比較的大きな空隙Ｃが発生する。この状態になると、コルゲートチューブ１００の軸線方向に設けられたスリット１００Ｓが重なってコルゲートチューブ１００に潰れが発生しやすくなる。
【０００５】
このように、コルゲートチューブ１００に潰れが生じると、コルゲートチューブの外径が小さくなり、図６（Ｃ）に示すように、プロテクタ１１０の係止リブ１１０ａでコルゲートチューブ１００を係止できず、プロテクタ１１０からコルゲートチューブ１００が脱落する恐れがある。
かつ、プロテクタ１１０に挿入するコルゲートチューブ１００の端部には、係止リブ１１０ａをコルゲートチューブ１００の谷部１００ａに嵌合する必要があるため、コルゲートチューブ１００の外周面にはテープが巻き付けられていない。よって、コルゲートチューブ１００が潰れてスリット１００Ｓが重なると、ワイヤハーネス１２０の電線がスリット１００Ｓのエッジと接触して電線に損傷が発生する恐れもある。
【０００６】
そのため、図６（Ｄ）に示すように、コルゲートチューブ１００の端部内のワイヤハーネス１２０の電線群に粘着テープ１４０を巻き付けている場合もある。
しかしながら、コルゲートチューブ１００の端部に当たる位置の電線群に対して、コルゲートチューブに挿通する前に粘着テープ１４０を巻いておかなければならない。かつ、電線群の外径とコルゲートチューブの内径との差が大きい場合には、多数回テープ巻きをしなければならず、作業性が非常に悪い問題がある。
【０００７】
従来、コルゲートチューブとプロテクタとの接続部分の補助部材として、本出願人は特開２００１−２６８７４３号公報で、図７（Ａ）（Ｂ）（Ｃ）に示すようにコルゲートチューブ１００に外嵌する一回り大きなコルゲートチューブ状の補助部材２００を提供している。
該補助部材２００を外嵌することにより、プロテクタ１１０の係止リブ１１０ａにガタつき無く係止することができる。しかしながら、コルゲートチューブ１００に前記のように電線量が少ないことから潰れが発生する場合、コルゲートチューブ１００が補助部材２００から脱落する恐れがある。よって、前記した問題に対しては、補助部材２００は有効ではない。
【先行技術文献】
【特許文献】
【０００８】
【特許文献１】特開２００１−２６８７４３号公報
【発明の概要】
【発明が解決しようとする課題】
【０００９】
本発明は、プロテクタに連結するコルゲートチューブのサイズに対してコルゲートチューブ内を通す電線量が少ないことからコルゲートチューブに潰れが発生しやすい場合にも潰れが発生しないようにして、コルゲートチューブとの連結を外れにくくするプロテクタを提供することを課題としている。
【課題を解決するための手段】
【００１０】
前記課題を解決するため、本発明は、樋形状のプロテクタ本体の長さ方向の端部側内面にコルゲートチューブの谷部に嵌合係止する円弧状の本体側係止リブを突設する一方、前記プロテクタ本体の上面開口を閉鎖するように取り付ける第１蓋と第２蓋とを隣接して設け、
前記第１蓋の内面に蓋側係止リブを突設し、第１蓋閉鎖時に前記本体側係止リブと蓋側係止リブとを同一周上に位置させ、かつ、
前記第２蓋の内面から前記第１蓋側へ突出させた潰れ防止片を設け、該潰れ防止片を前記コルゲートチューブの内面に突き当てるように挿入し、該コルゲートチューブの谷部の外周に前記本体側係止リブおよび前記蓋側係止リブを嵌合係止させる構成としていることを特徴とするワイヤハーネス用のプロテクタを提供している。
【００１１】
前記のように、本発明では、第１蓋の内面に突設した蓋側係止リブと、プロテクタ本体の端部側内面に突設した本体側係止リブとを第１蓋閉鎖時に同一周上に位置させて、連結するコルゲートチューブの谷部外周に嵌合係止させると共に、第２蓋の内面から第１蓋側へと突出させた潰れ防止片を前記コルゲートチューブの内面に突き当てるように挿入する構成としている。
【００１２】
前記構成によれば、プロテクタに連結するコルゲートチューブ内に通す電線量が少なく空隙が発生してコルゲートチューブに潰れが発生しやすくなっていても、前記第２蓋の潰れ防止片をコルゲートチューブの端末開口からチューブ内面に突き当てるように挿入することでチューブ内部の空隙を減少させてコルゲートチューブの潰れを防止することができる。よって、前記第１蓋の蓋側係止リブとプロテクタ本体の本体側係止リブは、第１蓋の閉鎖により常にコルゲートチューブの谷部外周に確実に嵌合係止され、従来のような別個の補助部品等を用いなくてもコルゲートチューブとプロテクタとの連結を外れにくくして接続信頼性を高めることができる。
【００１３】
コルゲートチューブの端部とプロテクタとの連結は、例えば、開放状態とした第２蓋の内面から第１蓋側へ突出させた潰れ防止片をコルゲートチューブの端末開口より挿入し、第２蓋を閉鎖してコルゲートチューブの端部およびワイヤハーネスをプロテクタ本体内に収容した状態で第１蓋を閉鎖するだけで、前記連結を容易かつ確実に行える。なお、第２蓋を閉鎖した状態で潰れ防止片を前記コルゲートチューブの端末開口より挿入し、その後、第１蓋を閉鎖してもよい。
【００１４】
前記第２蓋に設ける前記潰れ防止片は、第２蓋側の側面から突出すると共に、前記コルゲートチューブの谷部の内周面に当接する円弧状片であり、かつ、該円弧状片の上面から突当リブを突設し、該突当リブをコルゲートチューブの山部に嵌合させる構成としていることが好ましい。
【００１５】
前記構成によれば、潰れ防止片をコルゲートチューブの谷部の内周面に円弧状に突き当てることができるため、コルゲートチューブ内周面の広範囲において空隙を減少させ、コルゲートチューブを内面側から安定状態で支持することができる。さらに、潰れ防止片である前記円弧状片の上面に突当リブを突設し、該突当リブをコルゲートチューブの山部の内周面に嵌合させることにより、潰れ防止片がコルゲートチューブ内面から離脱して潰れ防止片とコルゲートチューブ内面との間に空隙が生じるのを防止することができる。
また、前記突当リブをコルゲートチューブの山部の内周面に嵌合させた時点で、プロテクタの第２蓋内面側にコルゲートチューブで外装したワイヤハーネスを仮保持させることができる。よって、作業者による保持がなくても、第２蓋、第１蓋を閉鎖するだけでプロテクタ内へのワイヤハーネスの挿通ならびにコルゲートチューブとプロテクタとの連結が可能となり、配索作業性を向上させることができる。
【００１６】
また、前記第２蓋に設ける潰れ防止片を第１蓋側の側面から突出させることにより、潰れ防止片をコルゲートチューブの端末開口からチューブ内周面に突き当てるように挿入していくとコルゲートチューブの端面が潰れ防止片の付け根部分である第２蓋の側面に当接する。即ち、コルゲートチューブの端末が突き当てセットされるため、プロテクタ内に挿入固定されるコルゲートチューブの寸法を精度よく管理することができる。
【００１７】
潰れ防止片である前記円弧状片の肉厚はコルゲートチューブの内径や挿通するワイヤハーネスの電線量によっても異なるため特に限定されない。さらに、潰れ防止片の軸線方向の突出寸法はプロテクタ内に収容されるコルゲートチューブの端部の潰れを防止できる長さであればよい。
【００１８】
前記第１蓋はプロテクタ本体の長さ方向の端部に設け、該プロテクタ本体の一方側壁に薄肉ヒンジ部を介して設ける一方、前記第２蓋は該第１蓋に隣接したプロテクタ本体の内部側に設け、かつ、該プロテクタ本体の他方側壁に薄肉ヒンジ部を介して設けていることが好ましい。
なお、前記薄肉ヒンジ部を介して第１蓋および第２蓋をプロテクタ本体に一体成形することに限定されず、別体として第１、第２蓋をプロテクタ本体にロック結合して取り付けてもよい。
【００１９】
前記のように、第１蓋側の薄肉ヒンジ部と第２蓋側の薄肉ヒンジ部をプロテクタ本体の対向する側壁に設けて第１蓋の開閉方向と第２蓋の開閉方向とを異ならせることで、開放状態とした第２蓋部の潰れ防止片をコルゲートチューブの端末開口から挿入する際、コルゲートチューブが開放した第１蓋と干渉することがない。よって、コルゲートチューブ内への潰れ防止片の挿入作業や、該潰れ防止片に突設した突当リブの嵌合作業がきわめて容易に行える。
【００２０】
前記第１蓋および第２蓋の先端にそれぞれロック部を設け、前記プロテクタ本体に設けた被ロック部とロック結合させるものとしていることが好ましい。
【００２１】
前記のように、第１蓋および第２蓋のロック部とプロテクタ本体の被ロック部とのロック結合により、蓋側係止リブおよび本体側係止リブとコルゲートチューブの谷部外周との強固な嵌合を保持することが可能となる。
【００２２】
同一方向に配索する複数本のコルゲートチューブをプロテクタに連結する場合には、各コルゲートチューブの端部およびワイヤハーネスを収容する複数のプロテクタ本体部を並列、一体化したプロテクタ本体と、各プロテクタ本体部の端部側の上面開口にかぶせて閉鎖する複数の第１蓋部を並列、一体化した第１蓋と、各プロテクタ本体部の内部側の上面開口にかぶせて閉鎖する複数の第２蓋部を並列、一体化した第２蓋とを備えたプロテクタを用いればよい。各プロテクタ本体部、各第１蓋部には、前述したような本体側係止リブ、蓋側係止リブをそれぞれ設けておくと共に、各第２蓋部からは、突当リブを備えた潰れ防止片を各第１蓋部側へ突出させておく。
【００２３】
前記プロテクタによれば、前記第１蓋、第２蓋を開放した状態で、第２蓋の各第２蓋部に設けた潰れ防止片を各コルゲートチューブの端末開口からそれぞれ挿入し、各突当リブを各コルゲートチューブの山部内周面に嵌合させた後、前記第２蓋、第１蓋の順で閉鎖して、各本体側係止リブ、各蓋側係止リブを各コルゲートチューブの谷部外周に嵌合係止するだけで、１つのプロテクタに複数のコルゲートチューブを同時に連結することができる。この際、各コルゲートチューブの潰れを効果的に防止することができるため、各コルゲートチューブとプロテクタの接続安定性を高めることができる。
【発明の効果】
【００２４】
前述したように、本発明によれば、プロテクタに連結するコルゲートチューブ内に通す電線量が少なく空隙が発生してコルゲートチューブに潰れが発生しやすくなっていても、第２蓋の潰れ防止片をコルゲートチューブの端末からチューブ内面に突き当てるように挿入することでチューブ内部の空隙を減少させてコルゲートチューブの潰れを防止することができる。よって、前記第１蓋の蓋側係止リブとプロテクタ本体の本体側係止リブは、第１蓋の閉鎖により常にコルゲートチューブの谷部外周に確実に嵌合係止され、従来のような別個の補助部品等を用いなくてもコルゲートチューブとプロテクタとの連結を外れにくくして接続信頼性を高めることができる。
【００２５】
更に、潰れ防止片の上面にある突当リブと第１蓋に突設した蓋側係止リブにて、コルゲートチューブの山谷部の変形を抑えることにより、従来よりもコルゲートチューブとプロテクタの連結を確実なものとすることができる。
【図面の簡単な説明】
【００２６】
【図１】本実施形態のプロテクタを示し、（Ａ）は第１蓋、第２蓋を閉鎖した状態、（Ｂ）は第１蓋を開放し、第２蓋を閉鎖した状態、（Ｃ）は第１蓋、第２蓋を開放した状態の斜視図である。
【図２】第１蓋、第２蓋を開放した状態のプロテクタを示し、（Ａ）は平面図、（Ｂ）は側面図である。
【図３】ワイヤハーネスに外装したコルゲートチューブの端部をプロテクタと連結する過程を示す図であり、（Ａ）は第２蓋より突出させた潰れ防止片をコルゲートチューブの端末開口から挿入した状態、（Ｂ）は第２蓋を閉鎖した状態、（Ｃ）は第１蓋を閉鎖し、連結が完了した状態を示す。
【図４】前記図３の（Ｃ）のＡ−Ａ線断面図である。
【図５】本発明のプロテクタの別の例を示す平面図である。
【図６】（Ａ）〜（Ｄ）は従来例を示す図面である。
【図７】（Ａ）〜（Ｃ）は他の従来例を示す図面である。
【発明を実施するための形態】
【００２７】
以下、本発明のプロテクタの実施形態を図１〜図４を参照して説明する。
本実施形態のワイヤハーネス用プロテクタ１０（以下、プロテクタ１０という）は、ワイヤハーネスＷ／Ｈに外装するコルゲートチューブ３０の端部に連結され、該コルゲートチューブ３０の端部から引き出されるワイヤハーネスＷ／Ｈの外装を行うものである。
ワイヤハーネスＷ／Ｈに外装するコルゲートチューブ３０は汎用品であり、環状の谷部３０ａと山部３０ｂとを軸線方向に交互に設けた樹脂成形品からなる。コルゲートチューブは軸線方向にスリットを設けているが、スリットを設けていなくてもよい。
【００２８】
図１および図２に示すように、プロテクタ１０は略樋形状のプロテクタ本体１３と、プロテクタ本体１３の上面開口にかぶせて閉鎖する第１蓋１１と第２蓋１２からなる樹脂成形品である。第１蓋１１はプロテクタ本体１３の長さ方向の端部に配置し、プロテクタ本体１３の一方側壁１３ａ上端に薄肉ヒンジ部１４ａを介して設けている。一方、第２蓋１２は第１蓋１１に隣接したプロテクタ本体１３の内部側に配置し、プロテクタ本体１３の他方側壁１３ｂの上端に薄肉ヒンジ部１４ｂを介して設けている。また、プロテクタ本体１３の他方側壁１３ｂには第１蓋１１の先端に設けたロック部１５ｂとロック結合する被ロック部１６ｂを設け、プロテクタ本体１３の一方側壁１３ａには第２蓋１２の先端に設けたロック部１５ａとロック結合する被ロック部１６ａを設けている。
【００２９】
第１蓋１１で上面開口が閉鎖されるプロテクタ本体１３−１の内面には、該プロテクタ本体１３−１内に収容されるコルゲートチューブ３０の谷部３０ａに嵌合係止する円弧状の本体側係止リブ１７を突設している。本実施形態では本体側係止リブ１７を間隔をあけて２ヶ所に設けている。また、第１蓋１１の内面には、第１蓋１１閉鎖時に前記本体側係止リブ１７と同一周上に位置する円弧状の蓋側係止リブ１８を間隔をあけて２ヶ所に突設している。即ち、第１蓋１１閉鎖時に同一周上に位置する本体側係止リブ１７と蓋側係止リブ１８が、前記プロテクタ本体１３−１に収容されるコルゲートチューブ３０の谷部３０ａ外周に嵌合係止される構成としている。
【００３０】
また、第２蓋１２の第１蓋１１側の側面１２ａから、第１蓋１１側へ潰れ防止片１９を突出させている。潰れ防止片１９は、連結するコルゲートチューブ３０の端末開口３０ｃからコルゲートチューブ３０の谷部３０ａ内周面に突き当てるように挿入されるものであり、潰れ防止片１９は谷部３０ａ内周面に当接する円弧状片としている。
また、潰れ防止片１９である円弧状片の上面からコルゲートチューブ３０の山部３０ｂ内周面に嵌合する突当リブ１９ａを突設している。
【００３１】
ワイヤハーネスＷ／Ｈに外装したコルゲートチューブ３０の端部をプロテクタ１０と連結し、該コルゲートチューブ３０の端部から引き出したワイヤハーネスＷ／Ｈをプロテクタ１０内に挿通する手順を説明する。
図２のように第１蓋１１および第２蓋１２を開放した状態とし、まず、図３（Ａ）のように第２蓋１２の側面１２ａより第１蓋１１側に突出させた潰れ防止片１９をコルゲートチューブ３０の端末開口３０ｃから挿入する。潰れ防止片１９はコルゲートチューブ３０の谷部３０ａ内周面に当接するように挿入され、コルゲートチューブ３０の端面３０ｄは潰れ防止片１９を突出させている第２蓋１２の側面１２ａに突き当てられる。ついで、潰れ防止片１９に突設した突当リブ１９ａをコルゲートチューブ３０の山部３０ｂ内周面に嵌合係止させる。突当リブ１９ａとコルゲートチューブ３０の山部３０ｂ内周との嵌合により、コルゲートチューブ３０で外装したワイヤハーネスＷ／Ｈが第２蓋の内面側に仮保持された状態となる。
【００３２】
続いて、図３（Ｂ）に示すように第２蓋１２を閉鎖し、第２蓋１２のロック部１５ａを被ロック部１６ａとロック結合する。第２蓋１２の閉鎖により、プロテクタ１０と連結されるコルゲートチューブ３０の端部が第１蓋１１で上面開口が閉鎖されるプロテクタ本体１３−１内に収容され、コルゲートチューブ３０の端末開口３０ｃから引き出されるワイヤハーネスＷ／Ｈが第２蓋１２で上面が閉鎖されるプロテクタ本体１３−２内に収容される。プロテクタ本体１３−１に収容されたコルゲートチューブ３０端部の谷部３０ａの外周にプロテクタ本体１３の本体側係止リブ１７を嵌合係止させる。
【００３３】
最後に図３（Ｃ）に示すように第１蓋１１を閉鎖し、第１蓋１１のロック部１５ｂを被ロック部１６ｂとロック結合する。第１蓋１１の閉鎖により、前記本体側係止リブ１７が嵌合係止したコルゲートチューブ３０端部の谷部３０ａの上側半分の外周に、蓋側係止リブ１８が嵌合係止され（図４）、コルゲートチューブ３０の端部とプロテクタ１０との連結が完了する。
なお、本実施形態では第２蓋１２を開放した状態で潰れ防止片１９をコルゲートチューブ３０内に挿入しているが、図１（Ｂ）のように第２蓋１２を閉鎖した状態で潰れ防止片１９をコルゲートチューブ３０内に挿入し、その後、第１蓋を閉鎖してもよい。
【００３４】
前記のように、第２蓋１２の潰れ防止片１９をコルゲートチューブ３０の端末開口３０ｃからチューブの谷部３０ａ内周面に突き当てるように挿入することにより、プロテクタ１０に連結するコルゲートチューブ３０内に通す電線量が少なく空隙が発生してコルゲートチューブ３０に潰れが発生しやすくなっていても、チューブ内部の空隙を減少させてコルゲートチューブ３０の潰れを防止することができる。よって、第１蓋１１の蓋側係止リブ１８とプロテクタ本体１３−１の本体側係止リブ１７がコルゲートチューブ３０の谷部３０ａ外周に確実に嵌合係止でき、従来のような別個の補助部品等を用いなくてもコルゲートチューブ３０とプロテクタ１０との連結を外れにくくして接続信頼性を高めることができる。
【００３５】
また、第２蓋１２に設ける潰れ防止片１９を第１蓋側の側面１２ａから突出させることにより、潰れ防止片１９をコルゲートチューブ３０の端末開口３０ｃからチューブ内周面に突き当てるように挿入していくとコルゲートチューブ３０の端面３０ｄが潰れ防止片１９の付け根部分である第２蓋１２の側面１２ａに当接する。即ち、コルゲートチューブ３０の端末が突き当てセットされるため、プロテクタ１０内に挿入固定されるコルゲートチューブ３０の寸法を精度よく管理することができる。
【００３６】
さらに、潰れ防止片１９の上面に突設した突当リブ１９ａをコルゲートチューブ３０の山部３０ｂ内周に嵌合させることにより、潰れ防止片１９がコルゲートチューブ３０の内面から離脱して潰れ防止片１９とコルゲートチューブ３０内面との間に空隙が生じるのを防止でき、コルゲートチューブ３０の潰れ防止に一層効果的である。
【００３７】
なお、複数本（例えば２本）のコルゲートチューブを同一方向に配索する場合には、図５に示すように、各コルゲートチューブ(図示せず)の端部およびワイヤハーネス(図示せず)を収容する２個のプロテクタ本体部２３Ａ、２３Ｂを並列、一体化したプロテクタ本体２３と、各プロテクタ本体部２３Ａ、２３Ｂの端部側の上面開口にかぶせて閉鎖する２個の第１蓋部２１Ａ、２１Ｂを並列、一体化した第１蓋２１と、各プロテクタ本体部２３Ａ、２３Ｂの内部側の上面開口にかぶせて閉鎖する２個の第２蓋部２２Ａ、２２Ｂを並列、一体化した第２蓋２２とを備えたプロテクタ２０を用いればよい。各プロテクタ本体部２３Ａ、２３Ｂ、各第１蓋部２１Ａ、２１Ｂには、前記実施形態と同様の本体側係止リブ２７Ａ、２７Ｂ、蓋側係止リブ２８Ａ、２８Ｂをそれぞれ設けていると共に、各第２蓋部２２Ａ、２２Ｂの側面からは、突当リブを備えた潰れ防止片２９Ａ、２９Ｂを各第１蓋部２１Ａ、２１Ｂ側へ突出させている。
【００３８】
前記プロテクタ２０によれば、例えば、第１蓋２１、第２蓋２２を開放した状態で、第２蓋２２の各第２蓋部２２Ａ、２２Ｂに設けた潰れ防止片２９Ａ、２９Ｂを各コルゲートチューブの端末開口からそれぞれ挿入し各潰れ防止片２９Ａ、２９Ｂの突当リブを各コルゲートチューブの山部内周面に嵌合させた後、第２蓋２２、第１蓋２１の順で閉鎖して、各本体側係止リブリブ２７Ａ、２７Ｂ、各蓋側係止リブ２８Ａ、２８Ｂを各コルゲートチューブの谷部外周に嵌合係止するだけで、各コルゲートチューブの潰れを防止しながら、１つのプロテクタ２０に複数のコルゲートチューブを同時に連結することが可能となる。
【００３９】
本発明は前記実施形態に限定されず、第１蓋、第２蓋をプロテクタ本体と別体として設け、プロテクタ本体とロック結合してもよい。
【符号の説明】
【００４０】
１０、２０  プロテクタ
１１、２１  第１蓋
１２、２２  第２蓋
１３、２３  プロテクタ本体
１４ａ、１４ｂ  薄肉ヒンジ部
１５ａ、１５ｂ  ロック部
１６ａ、１６ｂ  被ロック部
１７  本体側係止リブ
１８  蓋側係止リブ
１９、２９Ａ、２９Ｂ  潰れ防止片
１９ａ  突当リブ
３０  コルゲートチューブ
３０ａ  谷部
３０ｂ  山部
【図１】
0005516109.tif 000002
【図２】
0005516109.tif 000003
【図３】
0005516109.tif 000004
【図４】
0005516109.tif 000005
【図５】
0005516109.tif 000006
【図６】
0005516109.tif 000007
【図７】
0005516109.tif 000008